(57)【特許請求の範囲】
【請求項１】
レンズ群と、該レンズ群からの入射光を光の波長毎に分光して光電変換するカラー撮像手段と、該カラー撮像手段からの信号を基に複数の色信号を生成する色信号生成手段とを有する撮像装置において、
前記カラー撮像手段からの信号に対して、もしくは前記色信号生成手段からの色信号に対して、信号レベルの違いを検出する信号レベル検出手段と、
前記信号レベル検出手段の結果に基づいて、前記カラー撮像手段からの信号、もしくは前記色信号生成手段からの色信号に対して、高周波成分の信号量を個別に変える色別高周波成分変更手段を設け、
当該色別高周波成分変更手段は、
色信号毎に画素間の信号値の差分を求め、当該差分が予め設定してある閾値を越えたときエッジ部であると判定して検出し、当該検出したエッジ部が急峻になるように信号量を変え、もしくは当該エッジ部の段差が大きくなるように信号量を変えるものであり、
前記複数の色信号は、３原色のＲ(赤)信号、Ｇ(緑)信号、Ｂ(青)信号と、Ｒ−Ｇ間の波長であるイエロー信号と、Ｇ−Ｂ間の波長であるシアン信号であることを特徴とする撮像装置。
【請求項２】
レンズ群と、該レンズ群からの入射光を光の波長毎に分光して光電変換するカラー撮像手段と、該カラー撮像手段からの信号を基に複数の色信号を生成する色信号生成手段とを有する撮像装置において、
前記カラー撮像手段からの信号に対して、もしくは前記色信号生成手段からの色信号に対して、信号レベルの違いを検出する信号レベル検出手段と、
前記信号レベル検出手段の結果に基づいて、前記カラー撮像手段からの信号、もしくは前記色信号生成手段からの色信号に対して、高周波成分の信号量を個別に変える色別高周波成分変更手段を設け、
当該色別高周波成分変更手段は、前記カラー撮像手段からの信号、もしくは前記色信号生成手段からの色信号に対してハイパスフィルタを用いて高周波成分を抽出し、該抽出した各々の高周波成分の比較を行なうことにより前記画素間の信号値の差分を色信号毎に求めるものであり、
前記複数の色信号は、３原色のＲ(赤)信号、Ｇ(緑)信号、Ｂ(青)信号と、Ｒ−Ｇ間の波長であるイエロー信号と、Ｇ−Ｂ間の波長であるシアン信号であることを特徴とする撮像装置。
【請求項３】
レンズ群と、該レンズ群からの入射光を光の波長毎に分光して光電変換するカラー撮像手段と、該カラー撮像手段からの信号を基に複数の色信号を生成する色信号生成手段とを有する撮像装置において、
前記カラー撮像手段からの信号に対して、もしくは前記色信号生成手段からの色信号に対して、信号レベルの違いを検出する信号レベル検出手段と、
前記信号レベル検出手段の結果に基づいて、前記カラー撮像手段からの信号、もしくは前記色信号生成手段からの色信号に対して、高周波成分の信号量を個別に変える色別高周波成分変更手段を設け、
当該色別高周波成分変更手段は、前記カラー撮像手段からの信号、もしくは前記色信号生成手段からの色信号に対して周波数解析フィルタを用いて高周波成分を抽出し、該抽出した各々の高周波成分の比較を行なうことにより前記画素間の信号値の差分を色信号毎に求めるものであり、
前記複数の色信号は、３原色のＲ(赤)信号、Ｇ(緑)信号、Ｂ(青)信号と、Ｒ−Ｇ間の波長であるイエロー信号と、Ｇ−Ｂ間の波長であるシアン信号であることを特徴とする撮像装置。
【請求項４】
請求項１〜３の何れかにおいて、
予め定めた補正量の情報を保持しておく情報保持手段を有することを特徴とする撮像装置。
【請求項５】
請求項１〜３の何れかにおいて、
前記レンズ群はフォーカスレンズを有し、
前記フォーカスレンズを駆動するフォーカスレンズ駆動部と、
前記フォーカスレンズを位置調整して被写体へのフォーカス制御を行なうとともに、該フォーカスレンズに関する光学条件情報として焦点距離情報あるいは該フォーカスレンズの位置情報を出力する焦点距離制御部と
を有し、
前記色別高周波成分変更手段は、前記フォーカスレンズに関する光学条件情報を基に前記補正量を変える
ことを特徴とする撮像装置。
【請求項６】
請求項１〜３の何れかにおいて、
前記レンズ群はズームレンズを有し、
前記ズームレンズを駆動するズームレンズ駆動部と、
前記ズームレンズを位置調整して光学倍率を変更する光学ズーム制御を行なうとともに、該ズームレンズに関する光学条件情報として倍率情報あるいは該ズームレンズの位置情報を出力する光学ズーム制御部と
を有し、
前記色別高周波成分変更手段は、前記ズームレンズに関する光学条件情報を基に前記補正量を変える
ことを特徴とする撮像装置。
【請求項７】
請求項１〜３の何れかにおいて、
前記レンズ群はアイリスを有し、
前記アイリスを駆動するアイリス駆動部と、
前記アイリス駆動部を制御するとともに、前記アイリスに関する光学条件情報として光減衰量情報あるいは該アイリスの開閉情報を出力するアイリス制御部と
を有し、
前記色別高周波成分変更手段は、前記アイリスに関する光学条件情報を基に前記補正量を変える
ことを特徴とする撮像装置。
【請求項８】
請求項１〜３の何れかにおいて、
前記カラー撮像手段は、少なくとも２種類の異なる色フィルタを持つ画素が配置された単板カラー撮像素子で構成され、
前記色信号生成手段は、前記単板カラー撮像素子からの信号に対して内挿補間処理することにより、前記色信号を生成する
ことを特徴とする撮像装置。
【請求項９】
請求項１〜３の何れかにおいて、
前記カラー撮像手段は、少なくとも２種類の異なる色フィルタを持つ画素が配置された単板カラー撮像素子で構成され、
前記色信号生成手段は、前記単板カラー撮像素子からの信号に対してマトリクス演算処理することにより、前記色信号を生成する
ことを特徴とする撮像装置。
【請求項１０】
請求項１〜３の何れかにおいて、
前記カラー撮像手段は、前記レンズ群からの入射光を光の波長毎に分離するプリズムと、該分離された光の各々について光電変換する少なくとも２つの撮像素子とで構成され、
前記色信号生成手段は、前記単板カラー撮像素子からの信号に対してマトリクス演算処理することにより、前記色信号を生成する
ことを特徴とする撮像装置。
【発明の詳細な説明】
【技術分野】
【０００１】
本発明は、デジタルスチルカメラやビデオカメラなどの撮像装置に係り、特に、画質劣化の防止機能を備えた撮像装置に関する。
【背景技術】
【０００２】
デジタルスチルカメラやビデオカメラなどの撮像装置は、持ち運びや取り扱いの簡便さから筐体の小型化が進んでいるが、これとともに、ユーザによる高画質化の強い要求から、特に、撮像素子の高画素数化による撮像画像の高解像度化が進んでいる。しかしながら、高解像度の撮像画像を得るためには、撮像素子の高画素数化だけでなく、撮像装置に使用されているレンズユニットの光学性能の高精度化も非常に重要となる。
【０００３】
ところで、撮像装置の筐体の小型化とともに、レンズユニットを小型化することは必須であり、レンズユニットの光学性能の高精度化と小型化とを両立させることは非常に困難である。このため、レンズユニットの小型化に伴うレンズユニットの光学性能の劣化が撮像画像の画質劣化の要因となっている。
【０００４】
かかるレンズユニットの光学性能の劣化による画質劣化の要因の１つとして、レンズユニットの軸上色収差による光学性能の劣化がある。
【０００５】
図７はレンズユニットで発生する軸上色収差の概要を示す図であって、１００はレンズユニット、Ｏはレンズユニット１００の光軸、ＬＩは入射光、ＬＲは赤色光、ＬＢは青色光、ｄＲは赤色光ＬＲの焦点距離、ｄＢは青色光ＬＢの焦点距離である。
【０００６】
同図において、レンズユニット１００にその光軸Ｏに平行に入射光ＬＩが入射されると、レンズユニット１００を透過した光がその光軸Ｏ上で集光するが、レンズユニット１００の屈折率が光の波長毎に異なることから、光の波長毎に光軸Ｏ上での集光位置が異なることになる。そこで、入射光ＬＩに含まれる赤，緑，青色光の光軸Ｏ上での集光位置が異なることになり、図示するように、赤色光ＬＲの集光位置、従って、焦点距離ｄＲは青色光ＬＢの焦点距離ｄＢよりも長くなって異なったものとなる。緑色光については、図示しないが、その焦点距離ｄＧがｄＢ＜ｄＧ＜ｄＲとなり、青色光ＬＢの集光位置と赤色光ＬＲの集光位置との間で集光することになる。
【０００７】
このような光の波長毎の光軸Ｏ上での集光位置の違い（光軸色収差）が、特に、各色信号の高周波成分に影響を与えることになり、これにより、撮影されたカラー画像の、特に、エッジ部で被写体像の色とは異なる色（偽色）や色にじみといった現象が生ずることになる。
【０００８】
図８はレンズユニット１００の軸上色収差によって生ずるエッジ部での偽色や色にじみを説明するための図である。
【０００９】
画像信号のエッジ部では、この画像信号の各色信号には、高周波成分が現われる。図８（ａ），（ｂ），（ｃ）はエッジ部でのこれら色信号の高周波成分の一例を示すものである。
【００１０】
いま、図７において、光軸Ｏ上での赤色光ＬＲにフォーカスが合う位置、即ち、赤色光ＬＲが集光する焦点距離ｄＲの位置に撮像素子の撮像面を設定した場合、被写体像の赤色成分に対してピントが合うことになり、撮像素子の撮像面におけるこの赤色成分のエッジ部分の画素位置での光量特性は、図８（ａ）に示すように、非常に急峻で大きな光量の特性となる。これに対し、被写体像の青色成分では、撮像素子の撮像面が青色光ＬＢの焦点距離ｄＢの位置からずれているから、レンズユニット１００がこの青色成分にピントが合っておらず、この青色成分の上記のエッジ部分の画素位置での光量特性は、図８（ｃ）に示すように、周りの画素に拡がって、平坦化された小さい光量の特性となる。また、被写体像の緑色成分では、同様にして、図８（ｂ）に示すように、同じエッジ部分について、図８（ａ）に示す光量特性と図８（ｃ）に示す光量特性との間の中間的な光量特性が得られる。
【００１１】
このことから、この撮像素子がレンズユニット１００の赤色光ＬＲの焦点距離ｄＲの位置に設置されているときには、撮像素子から得られる赤色成分の信号（以下、Ｒ信号という）は、急峻でかつ大きな利得（レベル）の高周波成分が含まれた信号となるが、撮像素子が被写体像の緑色成分をピントがずれた状態で撮像して得られる緑色成分の信号（以下、Ｇ信号という）での高周波成分は、減衰され、かつ波形が平坦化されたものとなり、撮像素子が被写体像の青色成分をさらにピントがずれた状態で撮像して得られる青色成分の信号（以下、Ｂ信号という）での高周波成分は、さらに、減衰され、かつ波形がさらに平坦化されたものとなる。
【００１２】
撮像素子から出力されるＲ信号，Ｇ信号及びＢ信号は、所定の信号処理がなされて後、これらを用いてカラー画像の表示がなされるものであり、このカラー画像の表示では、Ｒ信号，Ｇ信号，Ｂ信号に応じた色光が加算されて表示画像の色が各画素毎に表現されるが、レンズユニット１００に軸上色収差によって上記のように影響を受けたＲ信号，Ｇ信号，Ｂ信号の高周波成分による色光を加算されると、これら高周波成分による色光の加算に応じて色でエッジ部が色付けされる。この場合、Ｒ信号の高周波成分による赤色光に対して、Ｇ信号の高周波成分による緑色光，Ｂ信号の高周波成分による青色光が減衰されているため、このエッジ部は被写体像でのエッジ部とは異なる色（偽色）で表示されることになり、また、Ｒ信号の高周波成分に対し、Ｇ信号，Ｂ信号の高周波成分は、図８（ｂ），（ｃ）に示すように、平坦化されていることにより、エッジ部から色がにじみ出るようにして、色にじみが生ずることになる。
【００１３】
なお、以上は赤，緑，青の３原色を分光し、光電変換して信号出力する撮像素子の場合であるが、マゼンタ，シアン，イエロー，緑の４色の補色に分光し、光電変換して信号出力する撮像素子の場合であっても、同様である。
【００１４】
上記のように、レンズユニット１００に図７に示す軸上色収差が生ずることから、赤色光ＬＲ，緑色光ＬG（図７に図示せず）、青色光ＬＢの全てについて、同時にピントを合わせることは不可能であり、このため、上記のように、特に高周波成分を含むエッジ部において、偽色や色にじみが発生し、これが撮像画像の画質劣化の原因となっている。
【００１５】
従来、このような撮像レンズ系の軸上色収差によるエッジ部での色にじみを補正するようにした技術が種々提案されている。
【００１６】
その一例としては、原色信号から色差信号を生成する際、軸上色収差によって生じた色成分間のＭＴＦ特性の違いを、ピントがずれて画像がぼけた色側にＭＴＦ特性を合わせる変換を行なうものである。これは、例えば、ピントが合って鮮明な緑色成分のＧ信号を平滑化することにより、緑色成分のＭＴＦ特性をぼけた赤色成分のＭＴＦ特性に近づけてＲ信号とこの平滑処理したＧ信号、即ち、〈Ｇ〉強信号とで色差信号Ｃｒを生成し、また、同様にして、緑色成分のＭＴＦ特性をぼけた青色成分のＭＴＦ特性に近づけてＢ信号とこの〈Ｇ〉強信号とで色差信号Ｃｂを生成し、しかる後、夫々の色差信号Ｃｒ，Ｃｂに夫々平滑処理しない元のＭＴＦ特性のＧ信号を加算するものである（例えば、特許文献１参照）。
【００１７】
これは、画像がぼけたＲ信号のＭＴＦ特性を、元のＭＴＦ特性のＧ信号のこのＲ信号のＭＴＦ特性と等しくしたＧ信号との差分をこのＲ信号に加算することにより、Ｒ信号のＭＴＦ特性をＧ信号のＭＴＦ特性に整合させ、同様にして、Ｂ信号のＭＴＦ特性をＧ信号のＭＴＦ特性に整合させるものであって、これにより、撮像レンズ系の軸上色収差による色にじみの発生を防止するようにしている。
【特許文献１】特開２００７−２８０４２号公報
【発明の開示】
【発明が解決しようとする課題】
【００１８】
ところで、上記特許文献１に記載の従来技術では、色差信号の上記の補正処理により、撮像レンズ系の軸上色収差によって発生するエッジ部での色にじみを抑制することができるとしても、各色差信号は、ＭＴＦ特性が補正されないときのＲ，Ｂ信号から生成したＭＴＦ特性が補正されていない色差信号にＧ信号を加算したものであって、Ｒ，Ｂ信号の周波数特性は改善されていない。しかも、かかる処理は、色差信号の全体にわたって行なわれるものであるから、表示されるカラー画像の赤色成分，青色成分の解像度が劣化し、精細度のカラー画像が得られないことになる。
【００１９】
また、このように、ＭＴＦ特性が劣化した赤，青の色差信号にＧ信号が加算されたものであるから、カラー画像の表示に際し、かかる色差信号と輝度信号とからＲ，Ｇ，Ｂ信号を再現する場合、得られたＲ，Ｂ信号はＧ信号も混合されたものとなり、忠実な色再現性が得られないことになる。
【００２０】
本発明の目的は、かかる問題を解消し、レンズユニットの軸上色収差によるエッジ部での偽色や色にじみの発生を抑制するとともに、色再現性の劣化を防止することができるようにした撮像装置を提供することにある。
【課題を解決するための手段】
【００２１】
上記目的を達成するために、本発明は、レンズ群と、該レンズ群からの入射光を光の波長毎に分光して光電変換するカラー撮像手段と、該カラー撮像手段からの信号を基に複数の色信号を生成する色信号生成手段とを有する撮像装置において、前記カラー撮像手段からの信号に対して、もしくは前記色信号生成手段からの色信号に対して、信号レベルの違いを検出する信号レベル検出手段と、前記信号レベル検出手段の結果に基づいて、前記カラー撮像手段からの信号、もしくは前記色信号生成手段からの色信号に対して、高周波成分の信号量を個別に変える色別高周波成分変更手段を設け、当該色別高周波成分変更手段は、色信号毎に画素間の信号値の差分を求め、当該差分が予め設定してある閾値を越えたときエッジ部であると判定して検出し、当該検出したエッジ部が急峻になるように信号量を変え、もしくは当該エッジ部の段差が大きくなるように信号量を変えるものであり、前記複数の色信号は、３原色のＲ(赤)信号、Ｇ(緑)信号、Ｂ(青)信号と、Ｒ−Ｇ間の波長であるイエロー信号と、Ｇ−Ｂ間の波長であるシアン信号であることを特徴とするものである。
【００２２】
さらに、本発明は、予め定めた補正量の情報を保持しておく情報保持手段を有することを特徴とするものである。
【００２３】
さらに、本発明は、前記レンズ群はフォーカスレンズを有し、前記フォーカスレンズを駆動するフォーカスレンズ駆動部と、前記フォーカスレンズを位置調整して被写体へのフォーカス制御を行なうとともに、該フォーカスレンズに関する光学条件情報として焦点距離情報あるいは該フォーカスレンズの位置情報を出力する焦点距離制御部とを有し、前記色別高周波成分変更手段は、前記フォーカスレンズに関する光学条件情報を基に前記補正量を変えることを特徴とするものである。
【００２４】
さらに、本発明は、前記レンズ群はズームレンズを有し、前記ズームレンズを駆動するズームレンズ駆動部と、前記ズームレンズを位置調整して光学倍率を変更する光学ズーム制御を行なうとともに、該ズームレンズに関する光学条件情報として倍率情報あるいは該ズームレンズの位置情報を出力する光学ズーム制御部とを有し、前記色別高周波成分変更手段は、前記ズームレンズに関する光学条件情報を基に前記補正量を変えることを特徴とするものである。
【００２５】
さらに、本発明は、前記レンズ群はアイリスを有し、前記アイリスを駆動するアイリス駆動部と、前記アイリス駆動部を制御するとともに、前記アイリスに関する光学条件情報として光減衰量情報あるいは該アイリスの開閉情報を出力するアイリス制御部とを有し、前記色別高周波成分変更手段は、前記アイリスに関する光学条件情報を基に前記補正量を変えることを特徴とするものである。
【００２６】
さらに、本発明は、レンズ群と、該レンズ群からの入射光を光の波長毎に分光して光電変換するカラー撮像手段と、該カラー撮像手段からの信号を基に複数の色信号を生成する色信号生成手段とを有する撮像装置において、前記カラー撮像手段からの信号に対して、もしくは前記色信号生成手段からの色信号に対して、信号レベルの違いを検出する信号レベル検出手段と、前記信号レベル検出手段の結果に基づいて、前記カラー撮像手段からの信号、もしくは前記色信号生成手段からの色信号に対して、高周波成分の信号量を個別に変える色別高周波成分変更手段を設け、当該色別高周波成分変更手段は、前記カラー撮像手段からの信号、もしくは前記色信号生成手段からの色信号に対してハイパスフィルタを用いて高周波成分を抽出し、該抽出した各々の高周波成分の比較を行なうことにより前記画素間の信号値の差分を色信号毎に求めるものであり、 前記複数の色信号は、３原色のＲ(赤)信号、Ｇ(緑)信号、Ｂ(青)信号と、Ｒ−Ｇ間の波長であるイエロー信号と、Ｇ−Ｂ間の波長であるシアン信号であることを特徴とするものである。
【００２７】
さらに、本発明は、レンズ群と、該レンズ群からの入射光を光の波長毎に分光して光電変換するカラー撮像手段と、該カラー撮像手段からの信号を基に複数の色信号を生成する色信号生成手段とを有する撮像装置において、前記カラー撮像手段からの信号に対して、もしくは前記色信号生成手段からの色信号に対して、信号レベルの違いを検出する信号レベル検出手段と、前記信号レベル検出手段の結果に基づいて、前記カラー撮像手段からの信号、もしくは前記色信号生成手段からの色信号に対して、高周波成分の信号量を個別に変える色別高周波成分変更手段を設け、当該色別高周波成分変更手段は、前記カラー撮像手段からの信号、もしくは前記色信号生成手段からの色信号に対して周波数解析フィルタを用いて高周波成分を抽出し、該抽出した各々の高周波成分の比較を行なうことにより前記画素間の信号値の差分を色信号毎に求めるものであり、前記複数の色信号は、３原色のＲ(赤)信号、Ｇ(緑)信号、Ｂ(青)信号と、Ｒ−Ｇ間の波長であるイエロー信号と、Ｇ−Ｂ間の波長であるシアン信号であることを特徴とするものである。
【００２８】
さらに、本発明は、前記カラー撮像手段が、少なくとも２種類の異なる色フィルタを持つ画素が配置された単板カラー撮像素子で構成され、前記色信号生成手段は、前記単板カラー撮像素子からの信号に対してマトリクス演算処理することにより、前記色信号を生成することを特徴とするものである。
【００２９】
さらに、本発明は、前記カラー撮像手段が、少なくとも２種類の異なる色フィルタを持つ画素が配置された単板カラー撮像素子で構成され、前記色信号生成手段は、前記単板カラー撮像素子からの信号に対してマトリクス演算処理することにより、前記色信号を生成することを特徴とするものである。
【００３０】
さらに、本発明は、前記カラー撮像手段が、前記レンズ群からの入射光を光の波長毎に分離するプリズムと、該分離された光の各々について光電変換する少なくとも２つの撮像素子とで構成され、前記色信号生成手段は、前記単板カラー撮像素子からの信号に対してマトリクス演算処理することにより、前記色信号を生成することを特徴とするものである。
【発明の効果】
【００４１】
本発明によると、色信号毎の高周波成分を補正することが可能となり、色信号毎の周波数特性が異なっても、これを均一にすることができるから、レンズユニットの色収差によるエッジ部での偽色や色にじみを、解像度や色再現性を損なうことなく、抑制することが可能となる。また、高周波成分補正後の色信号を基に輝度信号を生成することにより、高解像度な輝度信号を生成することができる。
【００４２】
また、レンズユニットの色収差によって影響されたエッジ部での波形応答を逆補正することにより、レンズユニットの色収差に起因する偽色や色にじみを強調することができ、これにより、特殊効果を現わすようにすることができる。
【００４３】
上記以外の課題／手段／効果は、後述する実施例によって明らかにする。
【発明を実施するための最良の形態】
【００４４】
以下、本発明の実施形態を、図面を用いて説明する。  
図１は本発明における撮像装置の実施例１の構成図であって、１はレンズ群（レンズユニット）、２はカラー撮像手段、３は色信号生成手段、４はメモリ、５は色別高周波成分変更手段である。
【００４５】
同図において、レンズ群１を介してカラー撮像手段２に光照射され、このレンズ群１により、カラー撮像手段２の撮像面（図示せず）に被写体像が結像される。カラー撮像素子２は、この被写体像を、光の波長毎に分光後、光電変換し、被写体像に応じた信号を出力する。色信号生成手段３は、このカラー撮像素子２からの信号を基に、少なくとも２種類以上の色信号を生成するものであり、ここでは、例えば、３原色のＲ，Ｇ，Ｂ信号を生成するものとする。このＲ，Ｇ，Ｂ信号からなる色信号は色別高周波成分変更手段５に供給される。
【００４６】
色信号生成手段３は、カラー撮像手段２が少なくとも画素毎に配置されるＲ色，Ｇ色，Ｂ色の３原色のフィルタがベイヤ配列で配列される単板撮像撮像素子である場合には、Ｒ，Ｇ，Ｂの各色毎に同じ色フィルタの画素信号を抽出し、内挿補間処理することにより、Ｒ，Ｇ，Ｂ夫々の色信号が得られるものである。
【００４７】
また、カラー撮像手段２が各画素に使用する色フィルタとして、シアン，イエロー，マゼンタの補色フィルタを用いる場合には、同様にして、各補色信号に分離し、これら補色信号をマトリックス演算処理することにより、３原色のＲ，Ｇ，Ｂ信号を得ることができる。さらに、これら以外の色フィルタを夫々の画素に用いる場合には、マトリクス演算処理と内挿補間処理とを用いることにより、同様に、３原色のＲ，Ｇ，Ｂ信号を得ることができる。
【００４８】
また、図２に示すように、カラー撮像手段としては、プリズムからなる色光分離部７と分光後の光を光電変換する複数の撮像素子とで構成されるものであってもよい。この色光分離部６は、レンズ群１を介して入射される被写体からの光を複数の光の波長に対応する光、例えば、Ｒ（赤）色光，Ｇ（緑）色光，Ｂ（青）色光に分光するものである。また、複数の撮像素子として、色光分離部６で分離されたＲ色光が入射されて、被写体像のＲ色成分の光画像が結像され、これを撮像してＲ信号を出力するＲ色用撮像素子２Ｒと、色光分離部６で分離されたＧ色光が入射されて、被写体像のＧ色成分の光画像が結像され、これを撮像してＧ信号を出力するＧ色用撮像素子２Ｇと、色光分離部６で分離されたＢ色光が入射されて、被写体像のＢ色成分の光画像が結像され、これを撮像してＢ色信号を出力するＢ色用撮像素子２Ｂとが設けられており、これにより、３原色のＲ，Ｇ，Ｂ信号を得ることができる。さらに、これら以外の色をプリズムで分光する場合には、マトリクス演算処理と内挿補間処理とを用いることにより、同様に、３原色のＲ，Ｇ，Ｂ信号を得ることができる。
【００４９】
一方、メモリ４には、Ｒ，Ｇ，Ｂ信号毎に、その高周波成分に対する補正量の情報が、光の波長情報に関連付けてテーブルに格納されている。この光の波長情報は、これら補正量の情報をＲ，Ｇ，Ｂ信号毎に区別するためのものであり、この光の波長情報からＲ，Ｇ，Ｂ信号の補正量の情報が判別できることになる。
【００５０】
また、Ｒ，Ｇ，Ｂ信号の高周波成分に対する補正量の情報は夫々、レンズ群１の軸上色収差による高周波成分の減衰を補正するための情報であり、予め測定されてメモリ４に格納されているものである。
【００５１】
なお、補正量の情報はメモリに保存されるものとしたが、値が保持される記録保持手段であればよく、例えば、信号処理回路上に初期値として補正量の情報が与えられたものであってもよい。
【００５２】
色別高周波成分変更手段５は、装置の電源が投入されると、メモリ４のテーブルからＲ，Ｇ，Ｂ信号毎の補正量の情報を取り込み、Ｒ，Ｇ，Ｂ信号毎に高周波成分の信号レベルを変更するものである。
【００５３】
このようにして、レンズ群１の軸上色収差によって影響されたＲ，Ｇ，Ｂ信号の高周波特性が補正されることになり、解像度や色再現性の劣化がなく、このレンズ群１の軸上色収差により発生する偽色や色にじみを抑制することができる。また、軸上色収差によって影響されたＲ，Ｇ，Ｂ信号の高周波特性を逆補正することにより、逆にかかる偽色や色にじみを強調するようにして、特殊効果として付加することもできる。
【００５４】
なお、ここで、色別高周波成分変更手段５は、３原色のＲ，Ｇ，Ｂ信号について、その高周波成分の信号レベルを変更するものとしたが、Ｒ，Ｇ，Ｂ信号のみに限るものではない。
【００５５】
図３は図１，図２における色別高周波成分変更手段５の具体例を示す回路構成図であって、７はＨＰＦ（高域通過フィルタ）、８は増幅器、９は加算器、１２は減衰器、１０は減算器である。
【００５６】
図３（ａ）において、色信号生成手段３（図１）から供給される色信号の１つが入力色信号Ｃinとして入力され、ＨＰＦ７と減算器１０とに供給される。ＨＰＦ７では、この入力色信号Ｃinの高周波成分が抽出され、増幅器８に供給される。この増幅器８では、この入力色信号Ｃinに該当する高周波成分の補正情報の利得情報ＡＧをメモリ４（図１，図２）から取得し、ＨＰＦ７からの入力色信号Ｃinの高周波成分がこの利得情報ＡＧに応じて増幅される。増幅器８から出力される高周波成分は加算器９に供給される。また、減算器１０では、入力色信号Ｃinが、ＨＰＦ７でこの入力色信号Ｃinの高周波成分が減算され、加算器９に供給される。この加算器９では、ＨＰＦ７からの入力色信号Ｃinの高周波成分が減算器１０で入力色信号Ｃinから高周波成分が減算された信号と加算され、高周波成分が補正された色信号Ｃoutとして、色別高周波成分変更手段５（図１，図２）から出力される。ここで、ＡＧ＝１倍とすれば、「色信号Ｃout＝Ｃin」となり、ＡＧ＞１倍とすれば、色信号Ｃoutはその高周波成分が増幅されており、ＡＧ＜１倍とすれば、色信号Ｃoutはその高周波成分が減衰されている。
【００５７】
なお、減算器１０で入力色信号Ｃinから高周波成分が減算された信号を、増幅器８から出力される高周波成分と加算するとき、この入力色信号Ｃinの高周波成分のタイミングを、この周波数成分がＨＰＦ７で抽出され、増幅器８から出力されて加算器９に供給されるタイミングに合うように、入力色信号Ｃinを遅延処理することはいうまでもない。
【００５８】
以上の構成の補正回路が高周波成分を補正する色信号の少なくとも１つ以上に対して設けられているものとする。また、メモリ４から取得する利得情報ＡＧは、レンズ群１の軸上色収差により発生した各色毎の高周波成分の減衰を軽減するために、各色毎の高周波成分を増幅するための利得情報とする。これによると、レンズ群１の軸上色収差による画像のエッジ部での偽色や色にじみが抑制され、また、色再現性の劣化がなくて、解像度の劣化が改善されることになる。
【００５９】
また、メモリ４から取得する利得情報ＡＧは、レンズ群１の軸上色収差により発生した各色毎の高周波成分の減衰をさらに進行させ、各色毎の高周波成分を減衰するための利得情報とすることもできる。これによると、レンズ群１の軸上色収差による画像のエッジ部での偽色や色にじみがさらに強調され、特殊効果として付加することができる。
【００６０】
また、この第１の実施形態において、レンズ群１の軸上色収差により発生した各色毎の高周波成分の減衰を軽減するための利得情報ＡＧ１と、レンズ群１の軸上色収差により発生した各色毎の高周波成分の減衰をさらに進行させるための利得情報ＡＧ２とがメモリに保存され、増幅器８は利得情報ＡＧ１と利得情報ＡＧ２とを切り替えることができるように構成とすることにより、レンズ群１の軸上色収差によるエッジ部での偽色や色にじみ，解像度の劣化による画質結果を補正する機能と、逆に、エッジ部での偽色や色にじみを強調する特殊効果機能とを選択して行なわせるようにすることもできる。
【００６１】
図３（ｂ）に示す具体例は、図３（ａ）に示すように、レンズ群１の軸上色収差による画像のエッジ部での偽色や色にじみが抑制されるように、高周波成分を補正するものではなく、逆に、エッジ部でのかかる偽色や色にじみを強調するようにして、特殊効果を奏するようにしたものである。
【００６２】
図３（ｂ）において、入力色信号ＣinはＨＰＦ７に供給されてその高周波成分が抽出され、この高周波成分が減衰器１１で、メモリ４（図１，図２）から設定されたこの入力色信号Ｃinに該当する高周波成分補正情報の利得情報ＡＧに応じて減衰される。この減衰器１１からの高周波成分は減算器１２に供給され、入力色信号Ｃinからこの高周波成分が減算される。
【００６３】
ここで、このように高周波成分を処理するのは、３原色のＲ，Ｇ，Ｂ信号のうちの１または２種類のレンズ群１の軸上色収差による影響を大きく受けた色信号である。これにより、レンズ群１の軸上色収差による影響がさらに拡大されることになり、エッジ部での偽色や色にじみがさらに強調されることになる。
【００６４】
また、この第１の実施形態において、図３（ａ）に示す補正回路と図３（ｂ）に示す補正回路とを選択可能とし、レンズ群１の軸上色収差によるエッジ部での偽色や色にじみ，解像度の劣化による画質結果を補正する機能と、逆に、エッジ部での偽色や色にじみを強調する特殊効果機能とを選択して行なうようにすることもできる。
【００６５】
また、図１，図２における色別高周波成分変更手段５は、Ｒ，Ｇ，Ｂ信号毎にエッジ部を判定検出する色別エッジ判定部と、色別エッジ判定部からの判定結果に基づいてエッジ補正を行なうエッジ補正部とで構成することができる。このエッジ判定部によりＲ，Ｇ，Ｂ信号のいずれかでエッジ部を判定検出すると、そのタイミングでその判定結果（エッジ部が検出された色信号を表わす情報とエッジ部が検出されたことを表す情報）を色別エッジ補正部に供給する。メモリ４には、エッジに対する補正方法の情報が格納されており、色別エッジ補正部では、色別エッジ判定部からの判定結果に基づいて、メモリ４に格納された補正方法の情報を参照し、エッジ部が検出された色信号の検出したエッジに対して、補正処理を行なう。エッジ部の検出判定方法としては、例えば、画素間の信号値（画素信号値）の差分を求め、この差分値が予め設定されている閾値を越えるとき、この画素はエッジ部での画素と判定する方法などを用いる。
【００６６】
色別エッジ補正部でのエッジ部補正方法としては、例えば、立上りエッジの場合、図４（ａ）に示すように、波形Ｗｂに対し、エッジ部の先端側での画素の画素信号値を低減し、エッジ部の終端側での画素の画素信号値を増加させてエッジ部の波形を急峻にし、エッジがシャープな波形Ｗａに補正する方法や、図４（ｂ）に示すように、波形Ｗｂに対し、エッジ部の前方側からエッジ部の先端側にかけて画素の画素信号値を低減し、このエッジ部の終端側からこのエッジ部の後方にかけて画素の画素信号値を高めることにより、エッジ部の波形を大きくした波形Ｗａに補正する方法などがある。
【００６７】
このようなエッジ部での波形補正の場合、先の各実施形態のように、レンズユニットの色収差によって発生する偽色や色にじみの程度に応じて、Ｒ，Ｇ，Ｂ信号に対する上記のエッジ部の補正の程度を設定することにより、色再現性や解像度の劣化がなく、かかる偽色や色にじみの発生を防止することが可能となる。また、レンズ群１の軸上色収差によるエッジ部での偽色や色にじみ，解像度の劣化が顕著に現れる部分のみを色別エッジ判定部で検出し、レンズ群１の軸上色収差によるエッジ部での偽色や色にじみ，解像度の劣化による画質劣化が顕著に現れる箇所のみを補正することが可能となり、常に補正がかかる場合に比べて消費電力を低減することもできる。
【００６８】
なお、ここでは、３原色のＲ，Ｇ，Ｂ信号について、その高周波成分の信号レベルを変更するものとしたが、必ずしも３原色のＲ，Ｇ，Ｂ信号でなくてもよい。例えば、色生成手段３（図１，図２）は、Ｒ，Ｇ，Ｂ信号に加え、Ｒ−Ｇ間の波長に該当するイエローの色信号と、Ｂ−Ｇ間の波長に該当するシアンの色信号を生成するものであり、かかる５種類の色信号に対してその高周波成分の信号レベルを変更するものであれば、レンズ群１の軸上色収差によるエッジ部での偽色や色にじみ，解像度の劣化による画質劣化を補正することが可能であり、かつＲ，Ｇ，Ｂ信号に対して、高周波成分の信号レベルを変更するよりも、より細かい光の波長毎に正確に補正することが可能である。
【００６９】
また、さらに、色別高周波成分変更手段５からの信号を基に、輝度信号を生成する輝度信号生成手段（図示せず）をもつ構成とすれば、レンズ群１の軸上色収差によるエッジ部での輝度の解像度劣化を抑制することも可能となる。
【００７０】
図５は本発明による撮像装置の第２の実施形態を示すブロック構成図であって、１３はアイリス、１４はズームレンズ、１５はフォーカスレンズ、１６はズームレンズ駆動部、１７はフォーカスレンズ駆動部、１８は焦点距離制御部、１９は光学ズーム制御部、２０はアイリス制御部であり、前出図面に対応する部分には同一符号を付けて重複する説明を省略する。
【００７１】
同図において、被写体からの光がレンズユニット（レンズ群）をなすアイリス１３，ズームレンズ１４及びフォーカスレンズ１５を介してカラー撮像手段２に入射し、その撮像面に被写体像が結像される。カラー撮像素子２は、この被写体像を光の波長毎に分光後撮像し、被写体像に応じた信号を出力する。色信号生成手段３は、このカラー撮像素子２からの信号を基に、少なくとも２種類以上の色信号を生成するものであり、例えば、３原色のＲ，Ｇ，Ｂ信号を生成するものとする。このＲ，Ｇ，Ｂ信号からなる色信号は色別高周波成分変更手段５に供給されるとともに、焦点距離制御部１８と光学ズーム制御部１９とアイリス制御部２０に供給される。
【００７２】
焦点距離制御部１８は、例えば、撮像素子２からの画像信号を１次微分し、さらに、積分して得られる値を指標とし、この指標を基に被写体へのフォーカスの度合いを検出し、これを基にフォーカスレンズ駆動部１７を制御し、被写体に焦点が合うように、フォーカスレンズ１５の位置調整を行なうオートフォーカス機能を有するものであるとする。また、焦点距離制御部１８は、例えば、ユーザの手動操作によって所定の焦点距離が指令されると、フォーカスレンズ駆動部１７を制御し、この指令された焦点距離になるように、フォーカスレンズ１５の位置調整を行なうマニュアルフォーカス機能を有するものであるとする。
【００７３】
光学ズーム制御部１９は、例えば、ユーザの手動操作により、所定のズーム倍率が指令されると、ズームレンズ駆動部１６を制御し、この指令されたズーム倍率が得られるように、ズームレンズ１４の位置調整を行なうものとする。
【００７４】
アイリス制御部２０は、例えば、撮像素子２からの画像信号の平均レベルを求めてこれを指標とし、この指標を基に被写体に対する露光状態を判定し、その判定結果に基づいてアイリス１３を開閉制御して被写体に対する露光量を調整することにより、最適な露光条件となるようにするオートアイリス機能を有するものであるとする。また、アイリス制御部２０は、例えば、ユーザの手動操作によって所定の露光状態が指令されると、アイリス駆動部２２を制御し、この指令された露光状態となるようにアイリス１３を開閉制御するマニュアルアイリス機能を有するものであるとする。
【００７５】
このように、焦点距離制御部１８によるフォーカス制御や光学ズーム制御部１９によるズーム倍率の制御，アイリス制御部２０による光量制御があると、光学条件が変化し、これにより、ズームレンズ１４やフォーカスレンズ１６などの光学レンズからなるレンズ群（レンズユニット）の軸上色収差が変化して、光の波長毎の、即ち、被写体像の光の波長毎の周波数特性のバラツキが変化する。この結果、かかる制御があると、特に、画像のエッジ部に生ずる偽色や色にじみの変化が顕著となる。
【００７６】
この第２の実施形態は、光学条件が変化により、かかる偽色や色にじみの変化があっても、これらを補正することができるようにしたものである。
【００７７】
そこで、この第２の実施形態では、焦点距離制御部１８が、光学条件情報として、焦点距離情報あるいはフォーカスレンズ１５の位置情報（以下、フォーカス情報という）を出力し、光学ズーム制御部１９が、光学条件情報として、倍率情報あるいはズームレンズ１４の位置情報（以下、ズーム情報という）を出力し、アイリス制御部２０が、光学条件として、光減衰量情報、あるいはアイリス１３の開閉状態を示す情報（以下、アイリス情報という）を出力し、色別高周波成分変更手段５が、かかる光学条件情報（即ち、フォーカス情報，ズーム情報及びアイリス情報）をもとに、Ｒ，Ｇ，Ｂ信号毎にメモリ４のテーブルから高周波成分の補正量情報を取り込み、Ｒ，Ｇ，Ｂ信号毎に高周波成分の信号レベルを補正する。
【００７８】
メモリ４に格納されているテーブルは、フォーカス情報やズーム情報，アイリス情報のそれらの変化可能範囲内での夫々の値に応じたＲ，Ｇ，Ｂ信号毎の、レンズ郡の色収差によるエッジ部での偽色や色にじみを補正するための高周波成分の補正量情報からなるものであり、焦点距離制御部１８からのフォーカス情報はフォーカス動作が行なわれる毎に変化し、光学ズーム制御部１９からのズーム情報はズーム動作が行なわれる毎に変化し、アイリス制御部２０からのアイリス情報はアイリス１３の開閉動作が行なわれる毎に変化するが、色別高周波成分変更手段５は、焦点距離制御部１８からのフォーカス情報を、光学ズーム制御部１９からのズーム情報を、アイリス制御部２０からアイリス情報を夫々取り込む毎に、そのときのフォーカス情報，ズーム情報及びアイリス情報に応じた高周波成分補正量情報をメモリ４から取得するものである。
【００７９】
そこで、フォーカスレンズ１５によるフォーカス動作やズームレンズ１４によるズーム動作，アイリス１３の開閉動作のいずれかが行なわれ、これによって光学条件が変化しても、この光学条件に応じたＲ，Ｇ，Ｂ信号毎の高周波成分の補正量情報がメモリ４から取り込まれて色別高周波成分変更手段５に設定されることになり、レンズユニットの色収差が変化してエッジ部での偽色や色にじみが変化する状態となっても、解像度や色再現性の劣化がなく、これらが補正されることになる。また、レンズユニットの色収差が変化してエッジ部での偽色や色にじみが変化する状態となっても、軸上色収差によって影響されたＲ，Ｇ，Ｂ信号の高周波特性を逆補正することにより、逆にかかる偽色や色にじみを強調するようにして、特殊効果として付加することもできる。
【００８０】
なお、ここでは、焦点距離制御部１８，光学ズーム制御部１９及びアイリス制御部２０の全ての光学条件を、レンズユニットの色収差によるエッジ部での偽色や色にじみの補正に用いるものとしたが、これに限らず、これらの１以上の光学条件を用いるようにすることもできる。
【００８１】
また、ここでは、アイリス１３とアイリス制御部２０のセット、光学ズームレンズ１４と光学ズームレンズ駆動部１６と光学ズーム制御部１９のセット、フォーカスレンズ１５とフォーカスレンズ駆動部１７と焦点距離制御部１８のセットの３つのセットを同時に搭載するものとしたが、いずれか１つのセット、あるいは２つのセットのみを搭載するものであってもよい。
【００８２】
また、ここでは、Ｒ，Ｇ，Ｂの３原色の色信号の高周波成分について、その特性を補正するものとしたが、これに限らず、１種類以上の色信号の高周波成分に対し、かかる特性の補正をするようにしてもよい。この場合、かかる１種類以上の色信号のうち、焦点距離制御部１８，光学ズーム制御部１９及びアイリス制御部２０の光学条件の変化に応じて高周波成分が変化する色信号とその特性を予め測定して、その測定結果から色別高周波成分変更手段５において高周波成分の補正量情報をメモリ４に格納しておき、色別高周波成分変更手段５が、焦点距離制御部１８，光学ズーム制御部１９及びアイリス制御部２０の光学条件の変化に応じて、この色信号に対する高周波成分の補正量情報をメモリ４から取得し、高周波成分の信号レベルを変更する構成とすればよい。例えば、先の実施形態と同様、色生成手段３は、Ｒ，Ｇ，Ｂ信号に加え、Ｒ−Ｇ間の波長に該当するイエローの色信号と、Ｂ−Ｇ間の波長に該当するシアンの色信号を生成するものであり、かかる５種類の色信号に対してその高周波成分の信号レベルを変更するものであれば、レンズ群１の軸上色収差によるエッジ部での偽色や色にじみ，解像度の劣化による画質結果を補正することが可能であり、かつＲ，Ｇ，Ｂ信号に対して高周波成分の信号レベルを変更するよりも、より細かい光の波長毎に正確に補正することが可能である。
【００８３】
なお、先の実施形態と同様、色別高周波成分変更手段５は、図３（ａ）で示した構成とし、メモリ４から取得する利得情報ＡＧは、焦点距離制御部１８，光学ズーム制御部１９及びアイリス制御部２０のうち少なくとも１つ以上の光学条件の軸上色収差により発生した各色毎の高周波成分の減衰を軽減するために、各色毎の高周波成分を増幅するための利得情報としてもよい。これにより、レンズ群１の軸上色収差による画像のエッジ部での偽色や色にじみが抑制され、また、色再現性の劣化がなくて、解像度の劣化が改善されることになる。
【００８４】
また、先の実施形態と同様、メモリ４から取得する利得情報ＡＧは、焦点距離制御部１８，光学ズーム制御部１９及びアイリス制御部２０のうち少なくとも１つ以上の光学条件の軸上色収差により発生した各色毎の高周波成分の減衰をさらに進行させ、各色毎の高周波成分を減衰するための利得情報としてもよい。これにより、レンズ群１の軸上色収差による画像のエッジ部での偽色や色にじみがさらに強調され、特殊効果として付加することができる。
【００８５】
また、先の実施形態と同様、焦点距離制御部１８，光学ズーム制御部１９及びアイリス制御部２０のうち少なくとも１つ以上の光学条件の軸上色収差により発生した各色毎の高周波成分の減衰を軽減するための利得情報ＡＧ１と、この軸上色収差により発生した各色毎の高周波成分の減衰をさらに進行させるための利得情報ＡＧ２とがメモリに保存されており、増幅器８が利得情報ＡＧ１と利得情報ＡＧ２とを切り替えることができる構成とすることにより、レンズ群の軸上色収差によるエッジ部での偽色や色にじみ，解像度の劣化による画質結果を補正する機能と、逆にエッジ部での偽色や色にじみを強調する特殊効果機能とを選択して行なわせるようにすることもできる。
【００８６】
また、先の実施形態と同様、色別高周波成分変更手段５を、Ｒ，Ｇ，Ｂ信号毎にエッジ部を判定検出する色別エッジ判定部と、色別エッジ判定部からの判定結果に基づいてエッジ補正を行なうエッジ補正部とで構成した場合、解像度の劣化が顕著に現れる部分のみを色別エッジ判定部で検出し、焦点距離制御部１８，光学ズーム制御部１９及びアイリス制御部２０のうち少なくとも１つ以上の光学条件の軸上色収差によるエッジ部での偽色や色にじみ，解像度の劣化による画質劣化が顕著に現れる箇所のみを補正することが可能となり、常に補正がかかる場合に比べて消費電力を低減することもできる。
【００８７】
また、さらに、先の実施形態と同様、色別高周波成分変更手段５からの信号を基に、輝度信号を生成する輝度信号生成手段（図示せず）を有する構成とすることにより、焦点距離制御部１８，光学ズーム制御部１９及びアイリス制御部２０のうち少なくとも１つ以上の光学条件の軸上色収差によるエッジ部での輝度の解像度劣化を抑制することも可能となる。
【００８８】
図６は本発明による撮像装置の第３の実施形態を示すブロック構成図であって、２１は信号レベル検出手段であり、図１に対応する部分には同一符号を付けて重複する説明を省略する。
【００８９】
同図において、色信号生成手段３から出力される３原色のＲ，Ｇ，Ｂ信号は、色別高周波成分変更手段５に供給されるとともに、信号レベル検出手段２１にも供給される。
【００９０】
信号レベル検出手段２１では、Ｒ，Ｇ，Ｂ信号毎に、夫々の平均レベルが求められ、また、夫々の高周波成分が抽出されてそのレベルが求められ、これら高周波成分の比率がＲ，Ｇ，Ｂ信号の平均レベルの比率と等しくなるような夫々の高周波成分の利得を求める。例えば、Ｒ，Ｇ，Ｂ信号のレベルをＲL，ＧL，ＢLとし、Ｒ，Ｇ，Ｂ信号の高周波成分のレベルの比率がＲL：ＧL：ＢLの比率になるように、Ｒ，Ｇ，Ｂ信号の高周波成分夫々の利得を求めるものである。そこで、Ｒ，Ｇ，Ｂ信号の高周波成分のレベルを夫々ＲHL，ＧHL，ＢHLとすると、このためのＲ，Ｇ，Ｂ信号の高周波成分に対する利得ＡＧR，ＡＧG，ＡＧBは夫々、ｋを定数とすると、
ＡＧR＝ｋ×ＲL／ＲHL
ＡＧG＝ｋ×ＧL／ＧHL
ＡＧB＝ｋ×ＢL／ＢHL
となる。なお、例えば、撮像素子２が被写体像の緑色成分にピントが合うように配置されている場合、Ｇ信号の高周波成分に対する利得ＡＧGを１とすると、
ＡＧR＝（ＲL／ＲHL）×（ＧHL／ＧL）
ＡＧB＝（ＢL／ＢHL）×（ＧHL／ＧL）
となる。また、例えば、撮像素子２が被写体像の赤色成分にピントが合うように配置されている場合、Ｒ信号の高周波成分に対する利得ＡＧRを１とすると、
ＡＧG＝（ＧL／ＧHL）×（ＲHL／ＲL）
ＡＧB＝（ＢL／ＢHL）×（ＲHL／ＲL）
となる。また、例えば、撮像素子２が被写体像の青色成分にピントが合うように配置されている場合、Ｂ信号の高周波成分に対する利得ＡＧBを１とすると、
ＡＧR＝（ＲL／ＲHL）×（ＢHL／ＢL）
ＡＧG＝（ＧL／ＧHL）×（ＢHL／ＢL）
となる。これらいずれの場合も、かかる利得で処理されてＲ，Ｇ，Ｂ信号の高周波成分の比率は、ＲL：ＧL：ＢLとなる。
【００９１】
このようにして、レンズ群１の軸上色収差によるエッジ部での偽色や色にじみを抑制する高周波成分の利得情報ＡＧR，ＡＧG，ＡＧBが求められる。色別高周波成分変更手段５は、信号レベル検出手段２１で得られた時々刻々のＲ，Ｇ，Ｂ信号の利得情報ＡＧR，ＡＧG，ＡＧBを取得し、図１に示した第１の実施形態と同様、Ｒ，Ｇ，Ｂ信号毎にその高周波成分の周波数特性を補正する。
【００９２】
このようにして、この第３の実施形態においても、先の第１の実施形態と同様、レンズ群１の軸上色収差によるエッジ部での偽色や色にじみを抑制することができ、色再現性の劣化がなく、解像度の劣化を抑制することができる。また、時々刻々に変化するレンズ群１の軸上色収差を、リアルタイムで検出して補正することにより、特に、第１の実施形態において説明した、レンズ群１の軸上色収差による高周波成分の減衰を補正するための情報を予め測定しておく必要がなくなり、本発明による撮像装置の開発時、または、工場生産時における作業を削減することが可能となる。
【００９３】
なお、ここで、信号レベル検出手段２１は、Ｒ，Ｇ，Ｂ信号毎に、夫々の高周波成分が抽出されてそのレベルが求められるとしたが、これは、例えば、ＨＰＦなどの高域通過フィルタの結果を高周波成分とすることで実現できる。
【００９４】
また、ここで、信号レベル検出手段２１は、Ｒ，Ｇ，Ｂ信号毎に、夫々の平均レベルが求められ、また、夫々の高周波成分が抽出されてそのレベルが求められるとしたが、これは、アダマール変換フィルタやＤＣＴ変換フィルタ、ＤＳＴ変換フィルタなどの周波数解析フィルタを用い、かかる周波数解析フィルタの結果のうち低次成分を平均レベルとし、該周波数解析フィルタの結果のうち高次成分を高周波成分とすることでも実現できる。
【００９５】
また、先の実施形態と同様、色別高周波成分変更手段５は、図３（ａ）で示した構成とし、求めたＡＧR，ＡＧG，ＡＧBを設定するものとすれば、レンズ群１の軸上色収差による画像のエッジ部での偽色や色にじみが抑制され、また、色再現性の劣化がなくて、解像度の劣化が改善されることになる。
【００９６】
また、先の実施形態と同様、色別高周波成分変更手段５を、Ｒ，Ｇ，Ｂ信号毎にエッジ部を判定検出する色別エッジ判定部と、色別エッジ判定部からの判定結果に基づいてエッジ補正を行なうエッジ補正部とで構成した場合、レンズ群１の軸上色収差によるエッジ部での偽色や色にじみ，解像度の劣化による画質劣化が顕著に現れる箇所のみを補正することが可能となり、常に補正が掛かる場合に比べて消費電力を低減することもできる。
【００９７】
また、ここでは、３原色のＲ，Ｇ，Ｂ信号について、その高周波成分の信号レベルを変更するものとしたが、必ずしも３原色のＲ，Ｇ，Ｂ信号でなくてもよい。例えば、先の実施形態と同様、色生成手段３は、Ｒ，Ｇ，Ｂ信号に加え、Ｒ−Ｇ間の波長に該当するイエローの色信号と、Ｂ−Ｇ間の波長に該当するシアンの色信号を生成するものであり、信号レベル検出手段６では、かかる５種類の色信号に対して夫々の平均レベルが求められ、また、夫々の高周波成分が抽出されてそのレベルが求められ、色別高周波成分変更手段５では、夫々の高周波成分の信号レベルが変更されるものであれば、レンズ群１の軸上色収差によるエッジ部での偽色や色にじみ，解像度の劣化による画質劣化を補正することが可能であり、また、Ｒ，Ｇ，Ｂ信号に対して高周波成分の信号レベルを変更するよりも、より細かい光の波長毎に正確に補正することが可能である。
【００９８】
また、さらに、先の実施形態と同様、色別高周波成分変更手段５からの信号を基に、輝度信号を生成する輝度信号生成手段（図示せず）をもつ構成とすれば、レンズ群１の光学条件の軸上色収差によるエッジ部での輝度の解像度劣化を抑制することも可能となる。
【図面の簡単な説明】
【００９９】
【図１】本発明による撮像装置の第１の実施形態を示すブロック構成図である。
【図２】本発明による撮像装置の第１の実施形態を示すブロック構成図である。
【図３】色別高周波成分変更手段の具体例を示す回路構成図である。
【図４】色別エッジ補正方法の具体例を示す波形図である。
【図５】本発明による撮像装置の第２の実施形態を示すブロック構成図である。
【図６】本発明による撮像装置の第３の実施形態を示すブロック構成図である。
【図７】レンズユニットで発生する軸上色収差の概要を示す図である。
【図８】図７に示すレンズユニットの軸上色収差によって生ずるエッジ部での偽色や色にじみを説明するための図である。
【符号の説明】
【０１００】
１  レンズ群（レンズユニット）
２  撮像素子
２Ｒ  Ｒ色用撮像素子
２Ｇ  Ｇ色用撮像素子
２Ｂ  Ｂ色用撮像素子
３  色信号生成手段
４  メモリ
５  色別高周波成分変更手段
６  色分離部（プリズム）
７  ＨＰＦ（高域通過フィルタ）
８  増幅器
９  加算器
１０  減算器
１１  減衰器
１２  減算器
１３  アイリス
１４  ズームレンズ
１５  フォーカスレンズ
１６  ズームレンズ駆動部
１７  フォーカスレンズ駆動部
１８  焦点距離制御部
１９  光学ズーム制御部
２０  アイリス制御部
２１  信号レベル検出手段
【図１】
0005171361.tif 000002
【図２】
0005171361.tif 000003
【図３】
0005171361.tif 000004
【図４】
0005171361.tif 000005
【図５】
0005171361.tif 000006
【図６】
0005171361.tif 000007
【図７】
0005171361.tif 000008
【図８】
0005171361.tif 000009